Podtech/llm-jp-corpus-v4-ja_patent huggingface dataset:
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
第１の半導体材料にチャネル形成領域が設けられる第１のトランジスタと、
前記第１のトランジスタの上に形成された配線と、
前記第１のトランジスタの上に形成された第２のトランジスタと、
前記第１のトランジスタの上に形成された容量素子と、を含み、
前記第２のトランジスタは、
前記配線の上に形成された第１の絶縁膜と、
前記第１の絶縁膜の上に形成された第２の半導体材料からなる膜と、
前記第２の半導体材料からなる膜の上に形成されたゲート絶縁膜と、
前記ゲート絶縁膜を介して前記第２の半導体材料からなる膜と重畳して形成されたゲート電極と、
前記第２の半導体材料からなる膜の上面の一部に接して形成されたソース電極およびドレイン電極と、を有し、
前記容量素子は、
前記配線と同じ層の導電膜を用いて形成された第１の電極と、
前記ゲート絶縁膜と同じ層の絶縁膜を用いて形成された、第２の絶縁膜と、
前記ゲート電極と同じ層の導電膜を用いて形成された第２の電極と、を有する半導体装置。
【請求項２】
第１の半導体材料にチャネル形成領域が設けられる第１のトランジスタと、
前記第１のトランジスタの上に形成された配線と、
前記第１のトランジスタの上に形成された第２のトランジスタと、
前記第１のトランジスタの上に形成された容量素子と、を含み、
前記第２のトランジスタは、
前記配線の上に形成された第１の絶縁膜と、
前記第１の絶縁膜の上に形成された第２の半導体材料からなる膜と、
前記第２の半導体材料からなる膜の上に形成されたゲート絶縁膜と、
前記ゲート絶縁膜を介して前記第２の半導体材料からなる膜と重畳して形成されたゲート電極と、
前記第２の半導体材料からなる膜の上面の一部に接して形成されたソース電極およびドレイン電極と、を有し、
前記容量素子は、
前記配線と同じ層の導電膜を用いて形成された第１の電極と、
前記第１の絶縁膜と同じ層の絶縁膜を用いて形成された、第２の絶縁膜と、
前記ソース電極およびドレイン電極と同じ層の導電膜を用いて形成された第２の電極と、を有する半導体装置。
【請求項３】
前記第１の絶縁膜は、
窒化シリコンを含む第３の絶縁膜と、
前記第３の絶縁膜上に形成され、酸化シリコンを含む第４絶縁膜と、を有し、
前記第３の絶縁膜および前記第４絶縁膜の前記第１の電極と重畳する領域に開口が形成されている請求項１乃至請求項６のいずれか一に記載の半導体装置。
【請求項４】
第１の半導体材料にチャネル形成領域が設けられる第１のトランジスタと、
前記第１のトランジスタの上に形成された配線と、
前記第１のトランジスタの上に形成された第２のトランジスタと、
前記第１のトランジスタの上に形成された容量素子と、を含み、
前記第２のトランジスタは、
前記配線と同じ層の導電膜を用いて形成されたゲート電極と、
前記ゲート電極の上に形成されたゲート絶縁膜と、
前記ゲート絶縁膜上に前記ゲート電極と重畳して形成された第２の半導体材料からなる膜と、
前記第２の半導体材料からなる膜の上面の一部に接して形成されたソース電極およびドレイン電極と、を有し、
前記容量素子は、
前記配線と同じ層の導電膜を用いて形成された第１の電極と、
前記ゲート絶縁膜と同じ層の絶縁膜を用いて形成された第１の絶縁膜と、
前記ソース電極および前記ドレイン電極と同じ層の導電膜を用いて形成された第２の電極と、を有する半導体装置。
【請求項５】
前記第１のトランジスタの上に層間絶縁膜が形成され、
前記配線、前記ゲート電極および前記第１の電極は、前記層間絶縁膜に埋め込まれて露出した上面が概略同一の平面を形成する請求項１乃至請求項８のいずれか一に記載の半導体装置。
【請求項６】
前記第１の半導体材料はシリコン半導体であり、
前記第２の半導体材料は酸化物半導体である請求項１乃至請求項１２のいずれか一に記載の半導体装置。
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
圧電体層と前記圧電体層を挟む電極とを備えた圧電素子であって、
前記圧電体層は、ビスマス、鉄、バリウム、チタン、コバルト及びナトリウムを含み、前記ナトリウムの含有量が５モル％以上２５モル％以下であり、ペロブスカイト構造を有する複合酸化物からなることを特徴とする圧電素子。
【請求項２】
請求項１に記載の圧電素子を具備することを特徴とする液体噴射ヘッド。
【請求項３】
請求項２に記載の液体噴射ヘッドを具備することを特徴とする液体噴射装置。
【請求項４】
請求項１に記載の圧電素子を具備することを特徴とする超音波デバイス。
【請求項５】
請求項１に記載の圧電素子を具備することを特徴とするセンサー。
【手続補正２】
【補正対象書類名】明細書
【補正対象項目名】発明の名称
【補正方法】変更
【補正の内容】
【発明の名称】圧電素子、液体噴射ヘッド、液体噴射装置、超音波デバイス及びセンサー
【手続補正３】
【補正対象書類名】明細書
【補正対象項目名】０００７
【補正方法】変更
【補正の内容】
【０００７】
上記課題を解決する本発明の態様は、圧電体層と前記圧電体層を挟む電極とを備えた圧電素子であって、前記圧電体層は、ビスマス、鉄、バリウム、チタン、コバルト及びナトリウムを含み、前記ナトリウムの含有量が５モル％以上２５モル％以下であり、ペロブスカイト構造を有する複合酸化物からなることを特徴とする圧電素子にある。
かかる態様では、ビスマス、鉄、バリウム、チタン、コバルト及びナトリウムを含み、該ナトリウムの含有量が５モル％以上２５モル％以下であり、ペロブスカイト構造を有する複合酸化物からなる圧電体層とすることにより、絶縁性が高くなりリーク電流の発生を抑制することができる。また、鉛の含有量を抑えられるため、環境への負荷を低減できる。
【手続補正４】
【補正対象書類名】明細書
【補正対象項目名】０００８
【補正方法】変更
【補正の内容】
【０００８】
本発明の他の態様は、上記圧電素子を具備することを特徴とする液体噴射ヘッド、及び当該液体噴射ヘッドを具備することを特徴とする液体噴射装置にある。かかる態様では、絶縁性が高くリーク電流の発生を抑制することができる圧電素子を有するため、絶縁破壊等が防止され信頼性に優れた液体噴射ヘッド、及び液体噴射装置となる。また、鉛の含有量を抑え環境への負荷が低減された液体噴射ヘッド及び液体噴射装置を提供できる。
【手続補正５】
【補正対象書類名】明細書
【補正対象項目名】０００９
【補正方法】変更
【補正の内容】
【０００９】
また、本発明の他の態様は、上記圧電素子を具備することを特徴とする超音波デバイス、あるいは、上記圧電素子を具備するセンサーにある。かかる態様では、絶縁性が高くなりリーク電流の発生を抑制することができる圧電素子を有するため、絶縁破壊等が防止され信頼性に優れた超音波デバイス、あるいは、センサーを実現することができる。また、鉛の含有量を抑えられるため、環境への負荷が低減された超音波デバイス、あるいは、センサーを提供できる。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
荷電粒子線で基板に描画を行う描画装置であって、
描画データを生成する生成部と、
前記生成部で生成された描画データに基づいて前記荷電粒子線を生成する荷電粒子光学系と、を有し、
前記生成部は、
幅を有する目標パターンに対応する複数のピクセルを設定し、
前記複数のピクセルのうち前記目標パターンの端部に対応するピクセルとそれ以外のピクセルとでは異なる予め設定された線量を前記複数のピクセルに与えた場合に前記基板上で得られる線量分布に基づいて、前記幅に対応した線量分布が前記基板上で得られるように前記予め設定された線量を調整することにより、前記描画データを生成する、
ことを特徴とする描画装置。
【請求項２】
前記基板上で得られる前記線量分布は、前記複数のピクセルに予め設定された前記線量に前記荷電粒子線の強度分布を畳み込むことによって得る、ことを特徴とする請求項１に記載の描画装置。
【請求項３】
前記生成部は、前記複数のピクセルに与えられる線量の合計値が前記幅に応じて予め設定された値になるように、前記予め設定された線量を調整する、ことを特徴とする請求項１又は２に記載の描画装置。
【請求項４】
前記生成部は、前記合計値に対する前記予め設定された値の比率に基づいて、前記予め設定された線量を調整する、ことを特徴とする請求項３に記載の描画装置。
【請求項５】
前記予め設定された線量は、前記複数のピクセルそれぞれにおける前記目標パターンの占有率に基づいて設定されている、ことを特徴とする請求項１乃至４のうちいずれか１項に記載の描画装置。
【請求項６】
前記描画装置は、複数の荷電粒子線で前記基板に描画を行い、
前記生成部は、前記複数の荷電粒子線それぞれの前記基板上での線量分布に基づいて、前記描画データを生成する、ことを特徴とする請求項１乃至５のうちいずれか１項に記載の描画装置。
【請求項７】
描画データに基づいて荷電粒子光学系により生成された荷電粒子線で基板に描画を行う描画装置で用いられる前記描画データを生成する生成方法であって、
幅を有する目標パターンに対応する複数のピクセルを設定するステップと、
前記複数のピクセルのうち前記目標パターンの端部に対応するピクセルとそれ以外のピクセルとでは異なる予め設定された線量を前記複数のピクセルに与えた場合に前記基板上で得られる線量分布に基づいて、前記幅に対応した線量分布が前記基板上で得られるように前記予め設定された線量を調整することにより、前記描画データを生成するステップと、
を有することを特徴とする生成方法。
【請求項８】
請求項７に記載の生成方法の各ステップをコンピュータに実行させることを特徴とするプログラム。
【請求項９】
請求項１乃至６のうちいずれか１項に記載の描画装置を用いて基板に描画を行うステップと、
前記ステップで描画を行われた前記基板を現像するステップと、
を有することを特徴とする物品の製造方法。
【手続補正２】
【補正対象書類名】明細書
【補正対象項目名】００１０
【補正方法】変更
【補正の内容】
【００１０】
上記目的を達成するために、本発明の一側面としての描画装置は、荷電粒子線で基板に描画を行う描画装置であって、描画データを生成する生成部と、前記生成部で生成された描画データに基づいて前記荷電粒子線を生成する荷電粒子光学系と、を有し、前記生成部は、幅を有する目標パターンに対応する複数のピクセルを設定し、前記複数のピクセルのうち前記目標パターンの端部に対応するピクセルとそれ以外のピクセルとでは異なる予め設定された線量を前記複数のピクセルに与えた場合に前記基板上で得られる線量分布に基づいて、前記幅に対応した線量分布が前記基板上で得られるように前記予め設定された線量を調整することにより、前記描画データを生成する、ことを特徴とする。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
遊技者にとって有利な特典を付与する特典付与手段と、
前記特典が付与されている可能性を示唆する特典示唆演出を実行する特典示唆演出実行手段と、
を備え、
前記特典示唆演出開始後に所定の操作による当該特典示唆演出のキャンセルが有効となるまでの期間には、第１の期間と、該第１の期間よりも長い第２の期間と、があり、
前記特典示唆演出は、第１の特典示唆演出と、該第１の特典示唆演出よりも前記特典が付与されている可能性が高い旨を示唆する第２の特典示唆演出と、を含み、
前記第２の特典示唆演出の前記キャンセルが有効となるまでの期間が前記第１の期間及び前記第２の期間のうち前記第２の期間となる割合が、前記第１の特典示唆演出の前記キャンセルが有効となるまでの期間が前記第１の期間及び前記第２の期間のうち前記第２の期間となる割合よりも高い
ことを特徴とする遊技機。
【手続補正２】
【補正対象書類名】明細書
【補正対象項目名】０００６
【補正方法】変更
【補正の内容】
【０００６】
上記課題を解決するために、本発明の請求項１に記載の遊技機は、
所定の遊技を行うことが可能な遊技機（スロットマシン１）であって、
遊技者にとって有利な特典（特別役）を付与する特典付与手段（事前決定手段）と、
前記特典（特別役）が付与されている可能性を示唆する特典示唆演出（チャンス演出の第２段階及び第３段階）を実行する特典示唆演出実行手段と、
を備え、
前記特典示唆演出（チャンス演出の第２段階及び第３段階）開始後に所定の操作による当該特典示唆演出のキャンセルが有効となるまでの期間には、第１の期間（賭数設定操作までの期間）と、該第１の期間よりも長い第２の期間（ゲームの開始操作までの期間）と、があり、
前記特典示唆演出（チャンス演出の第２段階及び第３段階）は、第１の特典示唆演出（第３段階で「通常柄」が表示されるパターン）と、該第１の特典示唆演出よりも前記特典（特別役）が付与されている可能性が高い旨を示唆する第２の特典示唆演出（第３段階で「桜柄」が表示されるパターン）と、を含み、
前記第２の特典示唆演出（第３段階で「桜柄」が表示されるパターン）の前記キャンセルが有効となるまでの期間が前記第１の期間及び前記第２の期間のうち前記第２の期間（ゲームの開始操作までの期間）となる割合（１００％）が、前記第１の特典示唆演出の前記キャンセルが有効となるまでの期間が前記第１の期間及び前記第２の期間のうち前記第２の期間（ゲームの開始操作までの期間）となる割合（０％）よりも高い
ことを特徴としている。
この特徴によれば、特典が付与されている可能性が相対的に低い第１の特典示唆演出よりも、特典が付与されている可能性が相対的に高い第２の特典示唆演出の方が、キャンセルが有効となるまでの期間が長くなる割合が高くなるので、特典示唆演出の開始後、遊技者の操作により途中で演出を終了させることが可能な構成でも、当該特典示唆演出により示唆される内容のうち特典が付与されている可能性が相対的に高い内容については極力認識させることができる。
尚、遊技者にとって有利な特典とは、遊技者にとって有利な遊技状態へ移行させることが可能となる権利（有利な遊技状態を発生するか否かを決定する抽選に当選すること、有利な遊技状態へ移行する入賞が許容されることなど）、遊技者にとって有利な表示結果を導出させるための操作態様が報知される権利、遊技用価値が付与される期待値が高い遊技状態に制御される権利など、遊技者にとって直接的な有利な特典であっても良いし、遊技者にとって直接的に有利ではないが、例えば、インターネット上で特典を得るための条件となる等、遊技者にとって間接的に有利な特典であっても良い。
所定の操作とは、遊技を進行させる操作に限らず、遊技の進行とは関係ない操作も含む。
また、前記第２の特典示唆演出の前記キャンセルが有効となるまでの期間が前記第１の期間及び前記第２の期間のうち前記第２の期間となる割合が、前記第１の特典示唆演出の前記キャンセルが有効となるまでの期間が前記第１の期間及び前記第２の期間のうち前記第２の期間となる割合よりも高いであれば良く、前記第２の特典示唆演出の前記キャンセルが有効となるまでの期間が前記第１の期間及び前記第２の期間のうち前記第２の期間となる割合が１００％であっても良いし、前記第１の特典示唆演出の前記キャンセルが有効となるまでの期間が前記第１の期間及び前記第２の期間のうち前記第２の期間となる割合が０％であっても良い。
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
周囲に少なくとも２つのゴールと、壁部とが周囲に設けられた滑動面において、複数のプレーヤが、打撃手段を用いて遊技媒体を打ち合うことで、当該ゴールに当該遊技媒体を入れるゲームを行うためのゲーム装置であって、
前記複数の遊技媒体を一列に貯留可能に形成され、遊技媒体供給方向の端部が前記滑動面に向かって配置される複数の供給ラインと、当該複数の供給ラインに配置された前記遊技媒体の供給を行う供給手段と、を有する供給ユニットと、
前記供給ユニットを制御する制御手段と、
を備えることを特徴とするゲーム装置。 
【請求項２】
請求項１に記載のゲーム装置において、
前記供給ユニットが、前記供給手段を駆動する駆動手段を有し、
前記供給手段が、前記供給ライン毎に設けられ、前記遊技媒体を前記供給ラインに貯留するために用いられる、前記供給手段としてのストッパであり、
前記制御手段が、前記駆動手段を制御することによって、前記ストッパを開閉し、前記各供給ラインにおける前記遊技媒体の貯留及び供給を制御する、ゲーム装置。
【請求項３】
請求項２に記載のゲーム装置において、
前記ストッパが、一の前記供給ラインに複数設けられており、
前記制御手段が、ゲームの進行状況に応じて選択的に開閉する前記ストッパを変更することによって、貯留されている遊技媒体の前記滑動面からの高さを変化させる、ゲーム装置。
【請求項４】
請求項１乃至３の何れか一項に記載のゲーム装置において、
前記複数の供給ラインには、
前記遊技媒体を貯留し、かつ、貯留した遊技媒体を前記滑動面に誘導する複数のレール部と、
前記複数のレール部に前記複数の遊技媒体を装填する装填手段とが備えられており、
前記複数のレール部の一端には、各レール部の一端と連通して前記装填手段から前記遊技媒体が移動可能な経路であって、当該レール部の一部として機能することが可能な連通
路が設けられ、
前記レール部は、前記連通路が設けられた端部から他の端部に向けて傾斜して形成されており、
前記連通路に装填された前記遊技媒体が少なくとも自重により、当該連通路を介して前記各レール部に移動可能である、ゲーム装置。
【請求項５】
請求項４に記載のゲーム装置において、
前記連通路が、前記装填手段を中心に左右に形成され、
前記装填手段が、前記制御手段の制御の下、左右の前記連通路に交互に前記遊技媒体を装填する、ゲーム装置。
【請求項６】
請求項４または５に記載のゲーム装置において、
前記連通路の上流に前記遊技媒体の有無を検出する連通路センサを更に備え、 
前記制御手段が、前記連通路センサの検出結果と前記連通路に排出された遊技媒体の数に基づいて不具合の発生の有無を判定する、ゲーム装置。
【請求項７】
請求項１乃至６の何れか一項に記載のゲーム装置において、
前記ゴールされた遊技媒体の数を計数するゴールカウンタと、
前記滑動面に供給される遊技媒体の数を計数する供給カウンタと、
前記計数された遊技媒体の供給数及びゴール数に基づいて、前記滑動面上の遊技媒体の数を算出する算出手段と、
を更に備え、
前記算出された滑動面上の遊技媒体の数が所定条件を満たした場合に、前記供給ユニットが前記遊技媒体の供給を行う、ゲーム装置。
【請求項８】
請求項１乃至７の何れか一項に記載のゲーム装置において、
前記ゴールされた遊技媒体の所定期間の累計をカウントする第１累計カウンタと、
前記滑動面に供給される遊技媒体の所定期間の累計をカウントする第２累計カウンタと、
前記累計された所定期間の遊技媒体の供給数及びゴール数の差が、所定の条件を満たした場合に、前記ゲームに用いる遊技媒体の不足を告知する告知手段と、
を更に備える、ゲーム装置。
【請求項９】
請求項１乃至８の何れか一項に記載のゲーム装置において、
前記供給手段が、前記滑動面に供給する遊技媒体の供給方向を変更可能な投入ガイド部材である、ゲーム装置。
【請求項１０】
請求項１乃至９の何れか一項に記載のゲーム装置において、
前記プレーヤにより操作される操作部を更に備え、
前記操作部からの信号に基づいて、前記供給ユニットが前記遊技媒体の供給を行う、ゲーム装置。
【請求項１１】
請求項１乃至１０の何れか一項に記載のゲーム装置において、  
前記供給ユニットが、制御手段の制御の下、一定期間中に所定時間毎に断続的に前記遊技媒体の供給を行う、ゲーム装置。
【請求項１２】
周囲に少なくとも２つのゴールと、壁部とが周囲に設けられた滑動面において、複数のプレーヤが、打撃手段を用いて遊技媒体を打ち合うことで、当該ゴールに当該遊技媒体を入れるゲームを行うためのゲーム装置における、前記遊技媒体を供給する供給装置であって、
前記複数の遊技媒体を一列に貯留可能に形成され、遊技媒体供給方向の端部が前記滑動面に向かって配置される複数の供給ラインと、当該複数の供給ラインに配置された前記遊技媒体の供給を行う供給手段を備えることを特徴とする供給装置。
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
第１抽選を行う第１抽選部と、第２抽選を行う第２抽選部を備える抽選装置であって、
前記第１抽選部は、
前記第１抽選部に第１抽選用媒体を投入する第１投入部と、
前記第１投入部から投入された前記第１抽選用媒体を捕捉することが可能であり、前記第１抽選用媒体を捕捉した「入」状態と、前記第１抽選用媒体を捕捉していない「空」状態を取り得る少なくとも１つの維持捕捉部と、
前記第１投入部から投入された前記第１抽選用媒体を捕捉することが可能な少なくとも１つの当選捕捉部を有し、
前記第２抽選部は、
前記第２抽選部に第２抽選用媒体を投入する第２投入部を有し、
前記第１投入部から前記第１抽選用媒体が投入されることにより前記第１抽選が行われ、
前記第１抽選において前記「入」状態になった前記維持捕捉部は、少なくとも次の前記第１抽選まで前記「入」状態に維持され、
前記第１抽選において前記当選捕捉部が前記第１抽選用媒体を捕捉したことを契機として、前記「入」状態となっている前記維持捕捉部の数に応じた数の前記第２抽選用媒体が前記第２投入部から前記第２抽選部に投入されることにより前記第２抽選が行われることを特徴とする抽選装置。
【請求項２】
前記第１抽選部が、
前記維持捕捉部及び前記当選捕捉部に捕捉されなかった前記第１抽選用媒体を回収する回収部を更に有することを特徴とする請求項１に記載の抽選装置。
【請求項３】
前記「入」状態の前記維持捕捉部の数が多くなる程、前記第１抽選において前記当選捕捉部が前記第１抽選用媒体を捕捉する確率が高くなることを特徴とする請求項１又は２に記載の抽選装置。
【請求項４】
前記第１抽選において前記当選捕捉部が前記第１抽選用媒体を捕捉したときに、前記「入」状態の前記維持捕捉部に捕捉されていた前記第１抽選用媒体が前記第２抽選用媒体として前記第２投入部から前記第２抽選部に投入されることにより前記第２抽選が行われることを特徴とする請求項１〜３のいずれか一項に記載の抽選装置。
【請求項５】
前記第２抽選部に投入された前記第２抽選用媒体の数に応じた数の第３抽選用媒体を前記第２抽選の終了後に前記第１抽選部に投入する第３投入部を更に有することを特徴とする請求項１〜４のいずれか一項に記載の抽選装置。
【請求項６】
前記第２抽選部に投入された前記第２抽選用媒体を第３抽選用媒体として前記第２抽選の終了後に前記第１抽選部に投入する第３投入部を更に有することを特徴とする請求項１〜４のいずれか一項に記載の抽選装置。
【請求項７】
前記第３投入部から前記第１抽選部に投入された前記第３抽選用媒体が前記当選捕捉部に捕捉されることを阻止する阻止手段を更に備えることを特徴とする請求項５又は６に記載の抽選装置。
【請求項８】
前記第３投入部は、前記当選捕捉部を開放する状態と遮蔽する状態の間での遷移が可能であり、
前記第３投入部が前記第３抽選用媒体を前記第１抽選部に投入する際に前記第３投入部が前記遮蔽する状態に遷移することにより、前記第３投入部から前記第１抽選部に投入された前記第３抽選用媒体が前記当選捕捉部に捕捉されることが阻止されることを特徴とする請求項７に記載の抽選装置。
【請求項９】
前記第２抽選部が、
前記第２投入部から投入された前記第２抽選用媒体を１つだけ捕捉することが可能な少なくとも１つの通常捕捉部と、
前記第２投入部から投入された前記第２抽選用媒体を捕捉することが可能な少なくとも１つのＪＰ捕捉部を有することを特徴とする請求項１〜８のいずれか一項に記載の抽選装置。
【手続補正書】
【提出日】平成27年1月29日(2015.1.29)
【手続補正１】
【補正対象書類名】明細書
【補正対象項目名】０００６
【補正方法】変更
【補正の内容】
【０００６】
画像データに背景ノイズのような低信号の画素値があり、操作者が低信号の画素値を高輝度に表示したくないとき、操作者自身がこのような低信号の画素値が表示されないようにWLとWWに慎重に調節しなければならず面倒であった。
【手続補正２】
【補正対象書類名】明細書
【補正対象項目名】００４４
【補正方法】変更
【補正の内容】
【００４４】
ステップ501で、GUI表示部406は、図6(a)に示すようなGUI601をディスプレイ3に表示する。GUI601は、画像を表示する領域D2と、ウィンドウレベル(LEVEL)を入力する領域D3と、ウィンドウ幅(WＩDTＨ)を入力する領域D4と、階調表現を許す下限値(LOWER)T1を入力する領域D5と、画像のヒストグラムを表示する領域D6とを有して成る。
【手続補正３】
【補正対象書類名】図面
【補正対象項目名】図５
【補正方法】変更
【補正の内容】
【図５】
2013165855.tif 000001
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
前記有利状態に制御するか否かを決定する事前決定手段と、
前記事前決定手段による決定結果に基づいて、複数種類の特定演出のうちのいずれかを決定する特定演出決定手段と、
前記特定演出決定手段による決定結果に基づいて、前記特定演出を示す特定演出情報を予め定められた最大数まで段階的に増加させながら表示し、所定の段階で表示されている特定演出情報の中から、前記特定演出決定手段によって決定された前記特定演出を示す特定演出情報を決定表示する演出である決定表示演出を実行する決定表示演出実行手段と、
前記決定表示演出実行手段による前記決定表示演出の実行後、前記特定演出決定手段によって決定された前記特定演出を実行する特定演出実行手段と、
を備え、
前記決定表示演出実行手段は、第１の段階で表示された前記特定演出情報に応じて、前記第１の段階よりも後の第２の段階で表示される前記特定演出情報を制限し、
前記特定演出の種類に応じて前記有利状態に制御される割合が異なる、
ことを特徴とする遊技機。
【手続補正２】
【補正対象書類名】明細書
【補正対象項目名】０００１
【補正方法】変更
【補正の内容】
【０００１】
本発明は、遊技を行い、遊技者にとって有利な有利状態に制御可能な遊技機に関する。
【手続補正３】
【補正対象書類名】明細書
【補正対象項目名】０００２
【補正方法】変更
【補正の内容】
【０００２】
遊技機として、遊技球などの遊技媒体を発射装置によって遊技領域に発射し、遊技領域に設けられている入賞口などの入賞領域に遊技媒体が入賞すると、所定個の賞球といった景品遊技媒体が遊技者に払い出されるものがある。さらに、所定の入賞領域に遊技媒体が入賞する（始動条件が成立する）と識別情報を可変表示（「変動」ともいう）可能な可変表示装置が設けられ、可変表示装置において識別情報の可変表示の表示結果が特定表示結果（大当り図柄）となった場合に遊技者にとって有利な有利状態（大当り遊技状態）に制御可能になるように構成されたものがある。
【手続補正４】
【補正対象書類名】明細書
【補正対象項目名】０００７
【補正方法】変更
【補正の内容】
【０００７】
（１）上記目的を達成するため、本願の第１の観点に係る遊技機は、
遊技を行い、遊技者にとって有利な有利状態（例えば大当り遊技状態など）に制御可能な遊技機（例えばパチンコ遊技機１など）であって、
前記有利状態に制御するか否かを決定する事前決定手段（例えばステップＳ１１０の処理を実行するＣＰＵ１０３など）と、
前記事前決定手段による決定結果に基づいて、複数種類の特定演出（例えば、リーチ演出）のうちのいずれかを決定する特定演出決定手段（例えばステップＳ１１１の処理を実行するＣＰＵ１０３など）と、
前記特定演出決定手段による決定結果に基づいて、前記特定演出を示す特定演出情報（例えば、リーチパターンに応じたキャラクタ）を予め定められた最大数まで段階的に増加させながら表示し、所定の段階で表示されている特定演出情報の中から、前記特定演出決定手段によって決定された前記特定演出を示す特定演出情報を決定表示する演出である決定表示演出を実行する決定表示演出実行手段（例えばステップＳ７７１〜Ｓ７７５及びステップＳ８０９の処理を実行する演出制御用ＣＰＵ１２０など）と、
前記決定表示演出実行手段による前記決定表示演出の実行後、前記特定演出決定手段によって決定された前記特定演出を実行する特定演出実行手段（例えばステップＳ８１１の処理を実行する演出制御用ＣＰＵ１２０など）と、
を備え、
前記決定表示演出実行手段は、第１の段階で表示された前記特定演出情報に応じて、前記第１の段階よりも後の第２の段階で表示される前記特定演出情報を制限し、
前記特定演出の種類に応じて前記有利状態に制御される割合が異なる、
ことを特徴とする。
【手続補正５】
【補正対象書類名】明細書
【補正対象項目名】０００９
【補正方法】変更
【補正の内容】
【０００９】
（２）上記（１）の遊技機において、
前記特定演出決定手段は、前記事前決定手段によって前記有利状態に制御すると決定されている場合、前記複数種類の特定演出のうちの第１の特定演出を、該第１の特定演出とは異なる第２の特定演出よりも高い割合で決定し、
前記決定表示演出実行手段は、前記第１の段階で第１の特定演出を示す特定演出情報を表示した場合に、前記第２の段階では前記第２の特定演出を示す特定演出情報を表示しない（例えば、図１３のルーレット演出パターンデータを用いたステップＳ８０８における演出制御用ＣＰＵ１２０の処理など）ようにしてもよい。
【手続補正６】
【補正対象書類名】明細書
【補正対象項目名】００１１
【補正方法】変更
【補正の内容】
【００１１】
（３）上記（１）の遊技機において、
前記特定演出決定手段は、前記事前決定手段によって前記有利状態に制御すると決定されている場合、前記複数種類の特定演出のうちの第１の特定演出を、該第１の特定演出とは異なる第２の特定演出よりも高い割合で決定し、
前記決定表示演出実行手段は、前記第１の段階で第１の特定演出を示す特定演出情報を表示した場合には、前記第１の段階で第１の特定演出を示す特定演出情報を表示しなかった場合よりも、前記第２の段階で追加する特定演出情報の数を少なくする（例えば、図１４のルーレット演出パターンデータを用いたステップＳ８０８における演出制御用ＣＰＵ１２０の処理など）ようにしてもよい。
【手続補正７】
【補正対象書類名】明細書
【補正対象項目名】００１３
【補正方法】変更
【補正の内容】
【００１３】
（４）上記（１）の遊技機において、
前記特定演出決定手段は、前記事前決定手段によって前記有利状態に制御すると決定されている場合、前記複数種類の特定演出のうちの第１の特定演出を、該第１の特定演出とは異なる第２の特定演出よりも高い割合で決定し、
前記決定表示演出実行手段は、前記第１の段階で第１の特定演出を示す特定演出情報を表示した場合に、前記第２の段階では特定演出情報を増加させない（例えば、図１５のルーレット演出パターンデータを用いたステップＳ８０８における演出制御用ＣＰＵ１２０の処理など）ようにしてもよい。
【手続補正８】
【補正対象書類名】明細書
【補正対象項目名】００１５
【補正方法】変更
【補正の内容】
【００１５】
（５）上記（１）〜（４）の何れかの遊技機において、
前記特定演出決定手段は、前記事前決定手段によって前記有利状態に制御すると決定されている場合、前記複数種類の特定演出のうちの第１の特定演出を、該第１の特定演出とは異なる第２の特定演出よりも高い割合で決定し、
前記決定表示演出実行手段は、前記第１の段階で第１の特定演出を示す特定演出情報と第２の特定演出を示す特定演出情報とを表示した場合に、前記第２の段階で前記第２の特定演出を示す特定演出情報を前記第１の特定演出を示す特定演出情報に変更する（例えば、図１５のルーレット演出パターンデータを用いたステップＳ８０８における演出制御用ＣＰＵ１２０の処理など）ようにしてもよい。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
電源に接続される給電コイルを収納する給電側ケースと、
光源を取り付ける光源取付部と、
前記光源取付部に取り付けられる前記光源に電力を供給する受電部とを備え、
前記受電部は、
前記給電コイルと磁気結合する受電コイルと、前記受電コイルを収納する受電側ケースであって前記給電側ケースに近接して配置される受電側ケースとを備え、
前記受電コイルは、
前記受電側ケースが前記給電側ケースに近接して配置されることにより前記給電コイルに近接して配置され、前記電源から電圧を印加された給電コイルにより非接触給電され、
前記給電側ケースは、前記受電側ケースに近接する面である給電部側対向面を有し、
前記受電側ケースは、前記給電部側対向面に対向する面である受電部側対向面を有し、
前記給電部側対向面と前記受電部側対向面との少なくともいずれかは、前記給電コイルと前記受電コイルとが近接する位置に対応する領域に、絶縁材により形成された絶縁領域を備えることを特徴とする光源装置。
【請求項２】
前記給電側ケースは、前記給電部側対向面が前記絶縁領域を備える場合は、前記絶縁領域以外の前記給電部側対向面の領域と前記給電部側対向面以外の面とは非絶縁材により形成され、
前記受電側ケースは、前記受電部側対向面が前記絶縁領域を備える場合は、前記絶縁領域以外の前記受電部側対向面の領域と前記受電部側対向面以外の面とは非絶縁材により形成されることを特徴とする請求項１に記載の光源装置。
【請求項３】
前記光源装置は、さらに、
外面を有する筐体であって、前記受電部を内部に収納するとともに前記光源取付部を前記外面に備える筐体を備え、
前記筐体は、前記給電部側対向面に対向する面である筐体側対向面を有し、
前記筐体側対向面は、前記受電部側対向面に対応する領域に開口部を有し、
前記受電部側対向面は、前記筐体側対向面の前記開口部から露出する
ことを特徴とする請求項１または２に記載の光源装置。
【請求項４】
前記光源装置は、設置板に設置され、
前記設置板は、前記光源から発せられる光の照射方向側の面である表面と、前記表面の反対側の面である裏面と、前記表面から前記裏面まで貫通する貫通孔とを備え、
前記給電側ケースは、前記設置板の前記裏面側の前記貫通孔の位置に配置されるとともに、前記給電部側対向面が前記光の照射方向側に向くように配置され、
前記設置板は、さらに、前記受電部側対向面が前記給電部側対向面と対向するように前記筐体を取り付ける筐体取付部を備えることを特徴とする請求項３に記載の光源装置。
【請求項５】
前記光源取付部は、ＬＥＤ（発光ダイオード）を実装する光源基板を前記光源とし、前記光源基板が前記受電部側対向面と平行になるように前記光源基板を取り付けることを特徴とする請求項１〜４のいずれかに記載の光源装置。
【請求項６】
光源を取り付ける光源取付部と、
電源に接続される給電コイルを収納する給電側ケースと、
前記光源に電力を供給する受電部であって、前記給電コイルと磁気結合することにより前記給電コイルから非接触給電される受電コイルを収納する受電側ケースを備える受電部と、
表面と裏面とを有する分離板であって、前記表面に前記受電側ケースを取り付けるとともに、前記裏面に前記給電側ケースを取り付ける分離板と
を備え、
前記受電側ケースは、内部に収納されている前記受電コイルが近接する面である受電部側対向面が前記表面に当接するように前記表面に取り付けられ、
前記給電側ケースは、内部に収納されている前記給電コイルが近接する面である給電部側対向面が前記裏面に当接するように前記裏面に取り付けられ、
前記給電部側対向面と前記受電部側対向面と前記表面と前記裏面との少なくともいずれかの、前記給電コイルと前記受電コイルとが近接する位置に対応する領域に、絶縁材により形成された絶縁領域を備えることを特徴とする光源装置。
【請求項７】
前記給電側ケースは、前記給電部側対向面が前記絶縁領域を備える場合は、前記絶縁領域以外の前記給電部側対向面の領域と前記給電部側対向面以外の面とは非絶縁材により形成され、
前記受電側ケースは、前記受電部側対向面が前記絶縁領域を備える場合は、前記絶縁領域以外の前記受電部側対向面の領域と前記受電部側対向面以外の面とは非絶縁材により形成され、
前記分離板は、前記表面と前記裏面との少なくともいずれかが前記絶縁領域を備える場合は、前記絶縁領域以外の領域は非絶縁材により形成されることを特徴とする請求項６に記載の光源装置。
【請求項８】
前記分離板は、周縁から前記表面側に突き出た側壁部であって前記受電側ケースを囲むように形成された側壁部を備え、
前記光源取付部は、底面と前記底面の周縁から突き出した側面部とを有する蓋形状であり、前記底面の裏面に前記光源が取り付けられ、前記分離板の前記側壁部の外周面と前記側面の内周面とが当接するように、前記分離板に被せられていることを特徴とする請求項６または７に記載の光源装置。
【請求項９】
前記分離板は、前記側壁部の外周面に突き出した連続した突出部であって、前記光源取付部の前記側面部の内周面と密着する突出部を備えることを特徴とする請求項８に記載の光源装置。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
ハウジングの内部に超音波送受信部を設けるとともに超音波伝播液体を封入し、ケースの内部に前記超音波送受信部の駆動装置と、前記超音波伝播液体の体積変化を緩和する第１の体積補償機構とを設けた超音波探触子において、前記ケースの内部空間を少なくとも第１の内部空間と第２の内部空間とに分割して、前記第１の内部空間に前記ケースの外部と通気させるための通気手段を、また、前記第１の内部空間と他の空間との間に気体の移動を妨げるための隔壁を設け、前記第１の内部空間以外の内部空間にフレームグランドを含む電気回路と電気的に接続された部品を配設したことを特徴とする超音波探触子。
【請求項２】
前記通気手段が、気体を透過し、液体を透過しないように構成されていることを特徴とする請求項１に記載の超音波探触子。
【請求項３】
前記第１の体積補償機構が、前記第１の内部空間内に設けられていることを特徴とする請求項１に記載の超音波探触子。
【請求項４】
前記超音波送受信部の駆動装置において、前記第２の内部空間から前記超音波伝播液体を封入したハウジング内の前記超音波送受信部に動力を伝達する駆動軸に、耐圧性能に方向性を有するオイルシールを互いに逆方向に２個直列に配置したことを特徴とする請求項１に記載の超音波探触子。
【請求項５】
前記第１の体積補償機構を前記第２の内部空間に設けるとともに、第２の体積補償機構を前記第２の内部空間と前記第１の内部空間との間に設けた隔壁に設け、前記第２の内部空間内の気体が体積変化した場合、前記第２の体積補償機構により、当該体積変化分を吸収・緩和するようにしたことを特徴とする請求項１に記載の超音波探触子。
【請求項６】
前記第１体積補償機構及び前記第２の体積補償機構が、柔軟かつ変形自在な薄膜からなることを特徴とする請求項１及び５に記載の超音波探触子。
【請求項７】
前記ハウジングの被験者の体表に接触する部分が、平坦面であることを特徴とする請求項１に記載の超音波探触子。
【誤訳訂正書】
【提出日】平成27年3月31日(2015.3.31)
【誤訳訂正１】
【訂正対象書類名】明細書
【訂正対象項目名】００１６
【訂正方法】変更
【訂正の内容】
【００１６】
本発明の濃縮物は、そのまま使用され得るか、例えば逆浸透、結晶化、アフィニティー・クロマトグラフィー又はそれらの組み合わせによってさらに処理されて水を除去され得るか、あるいは単独で、又は１若しくは２以上の担体（carrier）と共に乾燥され得る。任意の担体、例えば、オイル、油脂、ホエー、脱ミネラル・ホエー、ホエー蛋白質濃縮物、ホエー蛋白質単離物、その他のホエー分画、ホエー又は乳透過物又は濃縮物、スキムミルク、全乳、セミスキムキルク、ミルク分画、マルトデキストリン、ショ糖、ラクトース、天然デンプン及びα化デンプン（pregelatinised starches）、グルコース・シロップ、カゼイン及びカゼイン分画を用いることができる。
【誤訳訂正２】
【訂正対象書類名】明細書
【訂正対象項目名】００３８
【訂正方法】変更
【訂正の内容】
【００３８】
本発明の別の実施形態では、濃縮物は単独で、又は例えばホエー、脱ミネラル・ホエー、ホエー／WPI、その他のホエー分画、ホエー又はミルクの透過物又は濃縮物、スキムミルク、全乳、半スキムミルク、マルトデキストリン、ショ糖、ラクトース、あるいは天然デンプン又はα化デンプン（pregelatinised starches）の如き適当なキャリア物質と共に乾燥され、シアリルラクトースの量を増やす必要がある物質に組み込むのに適した素材成分が得られる。生成物をスプレー乾燥又は凍結乾燥することができる。
【誤訳訂正３】
【訂正対象書類名】特許請求の範囲
【訂正対象項目名】全文
【訂正方法】変更
【訂正の内容】
【特許請求の範囲】
【請求項１】
天然由来のシアリルラクトースを含む乳製品からシアリルラクトース濃縮物を調製する方法であって、以下のステップ：
i）限外濾過膜を使用して、天然由来のシアリルラクトースを含む乳製品を限外濾過し、限外濾過保持物を得；
ii）限外濾過膜を使用して、前記限外濾過保持物をダイアフィルトレーションし；
iii）場合により、逆浸透、及び／又は乾燥を行うこと
を含み、ここで限外濾過及びダイアフィルトレーションのために使用される前記限外濾過膜が約０．５〜４ｋダルトンである分子量カットオフ（ＭＷＣＯ）値を有する薄膜ポリアミド系膜であり、そして送給原料は、酸、塩基、緩衝剤、又はpHを標準化するために一般的に使用されるその他の物質を添加することなく直接送給され、そして前記乳製品が、ホエー製品、ホエー透過物、ホエー保持物、分画された乳保持物又は乳透過物、及びホエーからラクトースが調製されるときに得られる母液から成る群から選択される、前記方法。
【請求項２】
ステップｉ）の限外濾過のための膜と、ステップｉｉ）のダイアフィルトレーションのための膜とが同一である、請求項１に記載の方法。
【請求項３】
ダイアフィルトレーションのために使用される膜が、限外濾過のために使用される膜と異なる、請求項１に記載の方法。
【請求項４】
前記膜が２．５ｋダルトンの分子量カットオフ（ＭＷＣＯ）値を有する、請求項１に記載の方法。
【請求項５】
前記乳製品が、天然の反芻動物乳源由来である、請求項１〜４のいずれか１項に記載の方法。
【請求項６】
前記限外濾過、及びダイアフィルトレーションが、２℃〜５０℃の温度、及び１〜５０ｂａｒの送給圧力で行われる、請求項１〜５のいずれか１項に記載の方法。
【請求項７】
前記限外濾過、及びダイアフィルトレーションが、４℃〜１５℃の温度、及び５〜２０ｂａｒの送給圧力で行われる、請求項６に記載の方法。
【請求項８】
前記限外濾過、及びダイアフィルトレーションが、約１０℃の温度、及び５〜７ｂａｒの送給圧力で行われる、請求項６に記載の方法。
【請求項９】
シアリルラクトースが、前記限外濾過保持物中で得られる、請求項１に記載の方法。
【請求項１０】
前記組成物が、逆浸透、結晶化、クロマトグラフィー、乾燥又はそれらの組み合わせ、あるいは１又は２以上の担体と共に乾燥することによってさらに処理される、請求項１〜９のいずれか１項に記載の方法。
【請求項１１】
前記乳製品が、ホエーからラクトースが調製されるときに得られる母液である、請求項１０に記載の方法。
【請求項１２】
前記シアリルラクトース濃縮物が、単独で、あるいは油脂、ホエー、脱ミネラル・ホエー、ホエー蛋白質濃縮物、ホエー蛋白質単離物、その他のホエー分画、ホエー又はミルク透過物又は濃縮物、スキムミルク、全乳、半スキムミルク、ミルク分画、マルトデキストリン、ショ糖、ラクトース、天然デンプン及びα化デンプン、グルコース・シロップ、カゼイン、及びカゼイン分画から成る群から選択される１又は２以上の担体と共に乾燥される、請求項１〜１１のいずれか１項に記載の方法。
【請求項１３】
前記限外濾過膜が、クロスフロー渦巻き形膜、クロスフロー濾過、デッドエンド濾過、プレート・アンド・フレームシステム、カートリッジシステム、振動システム、フラットシート膜、渦巻き形膜、繊維膜、及びチューブ状膜からなる群から選択される構造を有する、請求項１〜１２のいずれか１項に記載の方法。
【請求項１４】
使用される前記膜がクロスフロー渦巻き形膜である、請求項１３に記載の方法。
【請求項１５】
使用される前記膜が、GE Osmonics GHシリーズの膜である、請求項１４に記載の方法。
【請求項１６】
請求項１〜１５のいずれか１項に記載の方法によって得られた、シアリルラクトース濃縮物。
【請求項１７】
シアリルラクトースの含有量が、乾物量に基づいて、１〜４０重量％である、請求項１６に記載のシアリルラクトース濃縮物。
【請求項１８】
シアリルラクトースの含有量が、乾物量に基づいて、０．３２〜２５重量％である、請求項１６に記載のシアリルラクトース濃縮物。
【請求項１９】
天然の反芻動物乳源から得られ、且つ、前記シアリルラクトースがオリゴ糖の結合したシアリルラクトースである、請求項１６〜１８のいずれか１項に記載のシアリルラクトース濃縮物。
【請求項２０】
前記乳製品が、ホエー製品、ホエー保持物、及びホエー透過物から成る群から選択される、請求項１６〜１９のいずれか１項に記載のシアリルラクトース濃縮物。
【請求項２１】
単独で、又は１若しくは２以上の担体と共に乾燥される、請求項１６〜２０のいずれか１項に記載のシアリルラクトース濃縮物を含む組成物。
【請求項２２】
乳児用栄養物、プロテインバー、スポーツ栄養物、ドリンク、健康サプリメント、医療目的用食品及び臨床栄養物からなる群から選択される栄養組成物であって、請求項１６〜２０のいずれか１項に記載のシアリルラクトース濃縮物、又は請求項２１に記載の組成物を含む、前記栄養組成物。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
撮像光学系を介した被写体像を撮像し、画像信号を出力する撮像手段と、
前記画像信号による画面内の部分領域を被写体候補として推定する推定手段と、
前記推定手段により複数の被写体候補が推定されたとき、前記被写体候補の色相により、前記複数の被写体候補の中から一部の被写体候補を選択する選択手段と、
前記選択手段により選択された被写体候補に対して焦点検出する焦点検出手段と、
を備える撮像装置。
【請求項２】
請求項１に記載の撮像装置において、
前記推定手段により推定された複数の被写体候補のうち、色相によって同一に分類された被写体候補間の距離を算出する距離算出手段をさらに備え、
前記選択手段は、
前記推定手段により推定された複数の被写体候補のうち、前記距離算出手段により算出された距離が所定値以下となる被写体候補を選択対象から除外し、前記選択対象から除外されなかった被写体候補の中から前記一部の被写体候補を選択する第１の選択手段を有する撮像装置。
【請求項３】
請求項２に記載の撮像装置において、
過去に合焦された被写体の色相の履歴を記憶する記憶手段をさらに備え、
前記選択手段は、
前記複数の被写体候補のうち、前記記憶手段に前記色相の履歴が第１の所定個数以上記憶されている色相を有する被写体候補を、前記一部の被写体候補として選択する第２の選択手段をさらに有する撮像装置。
【請求項４】
請求項３に記載の撮像装置において、
前記選択手段は、
前記第１の所定個数よりも多い第２の所定個数以上、前記色相の履歴が前記記憶手段に記憶されている場合は、前記第２の選択手段により前記一部の被写体候補を選択する撮像装置。
【請求項５】
請求項３または４に記載の撮像装置において、
撮像場所を検出する場所検出手段と、
前記撮像場所に頻出する色相に関する情報を取得する頻出色情報取得手段と、
をさらに備え、
前記選択手段は、
前記撮像場所に頻出する色相に関する情報によって、前記複数の被写体候補のうち前記撮像場所に頻出する色相以外の色相を有する被写体候補の中から前記一部の被写体候補を選択する第３の選択手段をさらに有する撮像装置。
【請求項６】
請求項５に記載の撮像装置において、
前記選択手段は、前記頻出色情報取得手段により前記撮像場所に頻出する色相に関する情報が取得できなかったときは、前記第１の選択手段および前記第２の選択手段のうち少なくとも片方により、前記複数の被写体候補の中から前記一部の被写体候補を選択する撮像装置。
【手続補正２】
【補正対象書類名】明細書
【補正対象項目名】０００５
【補正方法】変更
【補正の内容】
【０００５】
本発明に係る撮像装置は、撮像光学系を介した被写体像を撮像し、画像信号を出力する撮像手段と、画像信号による画面内の部分領域を被写体候補として推定する推定手段と、推定手段により複数の被写体候補が推定されたとき、被写体候補の色相により、複数の被写体候補の中から一部の被写体候補を選択する選択手段と、選択手段により選択された被写体候補に対して焦点検出する焦点検出手段と、を備える。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
被写体からの光を撮像する撮像素子と、
前記撮像素子からの撮像信号に基づく静止画像を一時的に記憶する記憶部と、
前記記憶部に記憶された前記静止画像を不揮発性の記録媒体に記録する記録手段と、
第１の押圧操作、および前記第１の押圧操作に引き続く第２の押圧操作が可能な操作手段と、
前記操作手段への前記第１の押圧操作に応じて前記記憶部に前記静止画像を記憶し、前記第２の押圧操作に応じて前記記録手段により前記静止画像を記録する制御部と、
前記操作手段への撮影者の接触または近接を検出する第１検出部と、を有し、
前記制御部は、前記第１検出部により前記操作手段への撮影者の接触または近接が検出されると、前記記憶部に前記静止画像を記憶する撮像装置。
【請求項２】
撮影者が所定の撮影姿勢であるか否かを検出する第２検出部を備え、
前記制御部は、前記第１検出部により前記検出がなされ、且つ前記第２検出部により前記所定の撮影姿勢であると検出された場合に、前記記憶部に前記静止画像を記憶する請求項１記載の撮像装置。
【請求項３】
前記制御部は、
前記第１検出部により前記検出がなされてから前記操作手段に前記第１の押圧操作が加えられるまでの期間は、前記記憶部に第１の記憶動作を実行せしめ、
前記操作手段に前記第１の押圧操作が加えられた場合に、前記記憶部に前記第１の記憶動作とは異なる第２の記憶動作を実行せしめる請求項１または請求項２記載の撮像装置。
【請求項４】
前記第１の記憶動作は、前記記憶部に単位時間に記憶される前記フレーム画像の数が、前記第２の記憶動作の場合よりも少ない請求項３記載の撮像装置。
【請求項５】
前記第１の記憶動作は、前記記憶部に記憶される前記フレーム画像の画質が、前記第２の記憶動作の場合よりも低い請求項３または請求項４記載の撮像装置。
【請求項６】
前記制御部は、
前記第２の押圧操作が加えられてから所定時間が経過するまでの期間は、前記記憶部に前記第２の記憶動作を実行せしめ、
前記所定時間経過後、前記第１検出部により前記検出がなされている間は、前記記憶部に前記第１の記憶動作を実行せしめ、
前記第１の押圧操作が加えられると、前記記憶部に前記第２の記憶動作を実行せしめる請求項３〜請求項５の何れか一項に記載の撮像装置。
【請求項７】
前記第１検出部は、前記操作手段への撮影者の接触を検出するためのタッチセンサ、または前記操作手段への撮影者の接触及び近接を検出するための近接センサを有する請求項１〜請求項６の何れか一項に記載の撮像装置。
【請求項８】
前記第２検出部は、接眼した状態で被写体像を視認するためのファインダ部に対して接眼しているか否かを検出するための近接センサ、及び前記撮像素子からの撮像信号に基づくスルー画像を表示する表示部を撮影者が視認する姿勢であるか否かを検出するための近接センサまたは撮像部の少なくとも一方を有する請求項２記載の撮像装置。
【請求項９】
被写体からの光を撮像する撮像素子と、
前記撮像素子からの撮像信号に基づく静止画像を一時的に記憶する記憶部と、
押し操作可能な操作手段と、
前記操作手段への撮影者への接触または近接を検出する検出部と、
前記検出部による検出結果と前記操作手段の押し操作の少なくとも一方により前記静止画像を前記記憶部へ記憶する制御部とを備える撮像装置。
【請求項１０】
前記制御部は、前記操作手段の押し操作により前記記憶部に記憶される前記静止画像の数と前記検出部による検出結果により前記記憶部に記憶される前記静止画像の数とを異ならせる請求項９記載の撮像装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明の撮像装置は、被写体からの光を撮像する撮像素子と、前記撮像素子からの撮像信号に基づく静止画像を一時的に記憶する記憶部と、前記記憶部に記憶された前記静止画像を不揮発性の記録媒体に記録する記録手段と、第１の押圧操作、および前記第１の押圧操作に引き続く第２の押圧操作が可能な操作手段と、前記操作手段への前記第１の押圧操作に応じて前記記憶部に前記静止画像を記憶し、前記第２の押圧操作に応じて前記記録手段により前記静止画像を記録する制御部と、前記操作手段への撮影者の接触または近接を検出する第１検出部と、を有し、前記制御部は、前記第１検出部により前記操作手段への撮影者の接触または近接が検出されると、前記記憶部に前記静止画像を記憶することを特徴とする。
また、本発明の撮像装置は、被写体からの光を撮像する撮像素子と、前記撮像素子からの撮像信号に基づく静止画像を一時的に記憶する記憶部と、押し操作可能な操作手段と、前記操作手段への撮影者への接触または近接を検出する検出部と、前記検出部による検出結果と前記操作手段の押し操作の少なくとも一方により前記静止画像を前記記憶部へ記憶する制御部とを備えることを特徴とする。